(57)【要約】【課題】周囲の光量に応じて自動的に点灯および消灯する照明装置であって、発光部から出射され外囲器の内表面で反射された反射光の受光センサへの影響による誤動作を抑制した照明装置を提供する。【解決手段】照明装置１は、発光部１２と、発光部１２を内部に収納する外囲器３０と、発光部１２を点灯駆動する点灯回路５０と、を備える。点灯回路５０は、入光面６０ａを有する受光センサ６０を含み、且つ、受光センサ６０の検知光量に基づき発光部１２への電流の供給の実行及び停止を選択的に行う。受光センサ６０は、受光センサ６０の入光面６０ａを外囲器３０の外側に向けた状態で、外囲器３０の外表面３０ａ上に配置されている。【選択図】図１
2015153601.tif 000002
【特許請求の範囲】
【請求項１】
発光部と、
前記発光部を内部に収納する外囲器と、
前記発光部を点灯駆動する点灯回路と、
を備え、
前記点灯回路は、入光面を有する受光センサを含み、且つ、当該受光センサの検知光量に基づき前記発光部への電流の供給の実行及び停止を選択的に行い、
前記受光センサは、当該受光センサの入光面を前記外囲器の外側に向けた状態で、前記外囲器の外表面上に配置されている、
ことを特徴とする照明装置。
【請求項２】
前記発光部は発光面を有し、
前記発光部の発光面に垂直な方向である主出射方向を前方とすると、前記受光センサは前記発光部よりも前方に存在し、
前記受光センサの検知範囲は、前記入光面を側面視したときに、当該入光面の中心に垂直な仮想軸を０°とした場合に、当該仮想軸の両側であって当該仮想軸から９０°以下の位置に引いた２本の仮想線で囲まれる範囲であり、
前記発光部の主出射方向は、前記入光面の中心に垂直な仮想軸の方向と一致している、
ことを特徴とする請求項１に記載の照明装置。
【請求項３】
前記外囲器は、一端が開口したグローブを含み、
前記受光センサは、前記グローブの他端の外表面上に配置されている、
ことを特徴とする請求項１に記載の照明装置。
【請求項４】
前記外囲器は、一端が開口したグローブと、一端が当該グローブの開口に接続された筒状の筐体と、当該筐体の他端に設けられた口金とで構成され、
前記受光センサは、前記筐体の外表面上に配置されている、
ことを特徴とする請求項１に記載の照明装置。
【請求項５】
前記受光センサは、フォトダイオードまたはフォトトランジスタである、
ことを特徴とする請求項１に記載の照明装置。
【発明の詳細な説明】
【技術分野】
【０００１】
本発明は、受光センサを備えた照明装置、特に受光センサが検知した周囲の光量に応じて自動的に点灯および消灯する照明装置に関する。
【背景技術】
【０００２】
近年、ＬＥＤ（Ｌｉｇｈｔ  Ｅｍｉｔｔｉｎｇ  Ｄｉｏｄｅ）等の発光素子を光源とする照明装置が普及しつつある。一方、照明装置には、不要な点灯を減らして消費電力を抑えることが求められている。
これに対して、人の存在に応じて自動的に点灯および消灯することができる照明装置が提案されている（特許文献１）。当該照明装置は、発光素子と、発光素子を内部に収納する外囲器と、外囲器に設けられた人感センサとを備える。外囲器は、一端が開口したグローブと、グローブの開口に設けられた円筒状の筐体と、筐体のグローブが設けられた側と反対側に設けられた口金とで構成される。人感センサは、グローブの他端側に配置されている。また、人感センサは、人が発する赤外線を検知する赤外線センサである。人感センサの出力電圧に閾値以上の変化が生じると、人感センサから検知信号が出力される。当該照明装置は、検知信号の出力により点灯し、検知信号が出力されない期間が一定時間経過すると消灯する。この構成により、ユーザが操作しなくても、人が存在するときには照明装置を自動的に点灯させ、人が存在しないときには一定時間経過後に照明装置を自動的に消灯することができる。
【０００３】
また、周囲の光量に応じて自動的に点灯および消灯することができる照明装置も提案されている（特許文献２）。当該照明装置は、実装基板と、実装基板上に環状に配置された複数の発光素子からなる発光部と、実装基板上に配置された受光センサと、発光部および受光センサを内部に収納する外囲器と、を備える。受光センサは、周囲の光量を検知するセンサであり、例えば、可視光域に検知波長の範囲がある受光センサである。当該照明装置は、検知した光量が閾値よりも少ない場合、すなわち、周囲が暗くなった場合には発光部に電流の供給を実行させ、検知した光量が閾値よりも多い場合、すなわち、周囲が明るくなった場合には発光部に電流の供給を停止させる。この構成により、ユーザが操作しなくても、昼間は照明装置を自動的に消灯し、夕方や夜間には照明装置を自動的に点灯することができる。
【先行技術文献】
【特許文献】
【０００４】
【特許文献１】特開２０１２−１５５９７５号公報
【特許文献２】特開２００１−３２５８１０号公報
【発明の概要】
【発明が解決しようとする課題】
【０００５】
ところで、実装基板上に受光センサを配置する構成では、問題が生じるおそれがある。以下、具体的に説明する。発光部から出射された光の多くは外囲器を透過して外部に出射され、残りは外囲器の内表面で反射され外囲器の内部に残る。前者の発光部から出射され外囲器を透過する光を直接光と呼び、後者の発光部から出射され外囲器の内表面で反射される光を反射光と呼ぶ。そして、実装基板上に受光センサが配置されている場合、照明装置の点灯時に、この反射光を受光センサが検知してしまうことがある。このため、実際には周囲が暗くても照明装置が明るいと判断して消灯することがある。消灯すると、受光センサは実際の周囲の明るさを検出するので、その後、照明装置が再び点灯することになる。その結果、照明装置が点灯および消灯を繰り返す自己点滅現象が生じるという使用上の課題がある。
【０００６】
本発明は、上記した課題に鑑み、周囲の光量に応じて自動的に点灯および消灯する照明装置であって、発光部から出射され外囲器の内表面で反射された反射光の受光センサへの影響による誤動作を抑制した照明装置を提供することを目的とする。
【課題を解決するための手段】
【０００７】
上記目的を達成するために、本発明の一態様に係る照明装置は、発光部と、前記発光部を内部に収納する外囲器と、前記発光部を点灯駆動する点灯回路と、を備え、前記点灯回路は、入光面を有する受光センサを含み、且つ、当該受光センサの検知光量に基づき前記発光部への電流の供給の実行及び停止を選択的に行い、前記受光センサは、当該受光センサの入光面を前記外囲器の外側に向けた状態で、前記外囲器の外表面上に配置されている、ことを特徴とする。
【０００８】
また、前記照明装置において、前記発光部は発光面を有し、前記発光部の発光面に垂直な方向である主出射方向を前方とすると、前記受光センサは前記発光部よりも前方に存在し、前記受光センサの検知範囲は、前記入光面を側面視したときに、当該入光面の中心に垂直な仮想軸を０°とした場合に、当該仮想軸の両側であって当該仮想軸から９０°以下の位置に引いた２本の仮想線で囲まれる範囲であり、前記発光部の主出射方向は、前記入光面の中心に垂直な仮想軸の方向と一致していてもよい。
【０００９】
また、前記照明装置において、前記外囲器は、一端が開口したグローブを含み、前記受光センサは、前記グローブの他端の外表面上に配置されていてもよい。
また、前記照明装置において、前記外囲器は、一端が開口したグローブと、一端が当該グローブの開口に接続された筒状の筐体と、当該筐体の他端に設けられた口金とで構成され、前記受光センサは、前記筐体の外表面上に配置されていてもよい。
【００１０】
また、前記照明装置において、前記受光センサは、フォトダイオードまたはフォトトランジスタであってもよい。
【発明の効果】
【００１１】
上記発明の照明装置では、受光センサが入光面を外囲器の外側に向けた状態で配置されている。また、点灯回路は、受光センサの検知光量に基づき、発光部への電流の供給の実行及び停止を選択的に行う。これにより、周囲の光量に応じて自動的に点灯および消灯することができる。さらに、受光センサは外囲器の外表面上に配置されている。これにより、受光センサの入光面には、発光部から出射され外囲器の内表面で反射された反射光は入射しない。
【００１２】
従って、周囲の光量に応じて自動的に点灯および消灯する照明装置であって、発光部から出射され外囲器の内表面で反射された反射光の受光センサへの影響による誤動作を抑制した照明装置を提供できる。
【図面の簡単な説明】
【００１３】
【図１】実施の形態１に係る照明装置の断面図である。
【図２】図１に示した照明装置における受光センサおよび発光部を説明するための模式断面図である。
【図３】図１に示した照明装置における点灯回路の回路図である。
【図４】図１に示した照明装置における反射光を示す図であって、（ａ）は図１に示した照明装置であり、（ｂ）は比較例に係る照明装置である。
【図５】変形例に係る照明装置の断面図であって、（ａ）は受光センサがグローブの外表面上に配置される変形例を示し、（ｂ）は受光センサが筐体の端面上に配置される変形例を示す。
【図６】変形例に係る照明装置の断面図であって、（ａ）は受光センサがグローブの内表面上に配置される変形例を示し、（ｂ）は２個の受光センサがグローブの外表面上に配置される変形例を示す。
【図７】変形例に係る照明装置の断面図であって、筐体からグローブの外表面上に配線が引き回される変形例を示す。
【図８】変形例に係る照明装置を示す図であって、（ａ）は側面図であり、（ｂ）は外観斜視図である。
【図９】変形例に係る照明装置における点灯回路の回路図である。
【００１４】
＜＜実施の形態１＞＞
１．全体構成
図１の断面図に示すように、照明装置１は、発光モジュール１０と、基台２０と、外囲器３０と、回路ケース４０と、点灯回路５０と、を備える。外囲器３０は、口金３１と、筐体３２と、グローブ３３とで構成される。点灯回路５０は、受光センサ６０を有する。なお、図面における紙面上側を上方とし、紙面下側を下方とする。
【００１５】
２．各部構成
（発光モジュール）
発光モジュール１０は、実装基板１１とＬＥＤ（発光部）１２とで構成される。
実装基板１１は、中央に貫通孔１１ａが設けられた円板状に形成されている。実装基板１１の表面には、ＬＥＤ１２に電力供給するための配線パターン（不図示）が形成されている。配線パターン（不図示）は、点灯回路５０から引き出された配線５５と接続される。これにより、配線パターン（不図示）に点灯回路５０から電力が供給される。実装基板１１を構成する材料は、例えば、アルミナあるいはアルミニウムである。
【００１６】
８個のＬＥＤ１２が、互いに等間隔を空け、且つ、発光面１２ａを上方に向けて、実装基板１１に環状に配置されている。各ＬＥＤ１２は、実装基板１１上に実装された青色ＬＥＤチップ（不図示）と、ＬＥＤチップ（不図示）を覆うように配された封止層（不図示）により構成されている。ＬＥＤチップ（不図示）は、ＣＯＢ(Ｃｈｉｐ  ｏｎ  Ｂｏａｒｄ)タイプであり、青色光を出射する。封止層（不図示）は、透光性樹脂と黄色蛍光体とで構成される。透光性樹脂は、例えば、シリコーン樹脂である。ＬＥＤチップ（不図示）から出射される青色光の一部は、黄色蛍光体により黄色光に変換される。そして、波長変換した黄色光と青色光とが混色されることで、発光モジュール１０から白色光が出射する。発光モジュール１０から出射した光の多くは、グローブ３３を透過して外部へ出射される。
【００１７】
（基台）
基台２０は、中央に貫通孔２０ａが設けられた略円板状に形成されている。基台２０は、筐体３２の内周面に嵌め込まれることで、筐体３２に固定されている。基台２０を構成する材料は、熱伝導性の高い材料がよく、例えば、アルミニウム等である。発光モジュール１０で発生した熱は、基台２０を介して筐体３２に伝導される。
【００１８】
（外囲器）
外囲器３０は、上述のように、口金３１と、筐体３２と、グローブ３３とで構成される。
口金３１は、照明装置（不図示）のソケット（不図示）に取着され、当該ソケット（不図示）を介して給電を受ける部材である。口金３１は、例えば、エジソンタイプである。口金３１は、回路ケース４０の外周面に螺合されて、回路ケース４０に固定されている。口金３１と点灯回路５０の入力端子（不図示）とは、配線（不図示）により電気的に接続されている。
【００１９】
筐体３２は、略円筒状に形成されている。筐体３２を構成する材料は、例えば、アルミニウムである。筐体３２の内部には、発光モジュール１０と点灯回路５０の一部（例えば、受光センサ６０を除く全部）とが収納されている。
グローブ３３は、例えば、拡散グローブである。グローブ３３を構成する材料は、例えば、アクリル樹脂等の樹脂材料である。グローブ３３は一端が開口しており、他端に貫通孔３３ａが設けられている。グローブ３３の一端は、基台２０の凹み部２０ｂと筐体３２の内周面とで構成された溝部３４内に配置されている。溝部３４に接着剤３５が充填されることにより、グローブ３３は基台２０と筐体３２とに固定されている。
【００２０】
（回路ケース）
回路ケース４０は、点灯回路５０の一部を収納する。回路ケース４０を構成する材料は、例えば、ポリブチレンテレフタレート等の絶縁性材料である。
（点灯回路）
点灯回路５０は、絶縁基板５１に電子部品５２を実装したものと、配線５３を介して電子部品５２と電気的に接続された受光センサ６０とで構成される。点灯回路５０は、発光モジュール１０を点灯駆動する。具体的には、点灯回路５０は、受光センサ６０の検知光量に基づき、発光モジュール１０への電流の供給の実行及び停止を選択的に行う。
【００２１】
絶縁基板５１は、回路ケース４０の内側に固定されている。なお、電子部品は、便宜上「５２」の符号だけを用いているが、電子部品は「５２」以外にもあり、これらの電子部品５２により点灯回路５０が構成される。
受光センサ６０は、センサチップ（不図示）とそれを覆うセンサケース（不図示）とで構成されている。受光センサ６０は、グローブ３３に設けられた貫通孔３３ａを通る配線５３の先端と導電性接着剤５４を介して電気的に接続されている。また、受光センサ６０は、グローブ３３の外表面３３ｂ上であって、グローブ３３の他端（以下、「グローブ３３の先端」と呼ぶ）に配置されている。具体的には、受光センサ６０として、シリコンＮＰＮフォトトランジスタ、例えば、ＳＦＨ３０９ＰＦＡ（ＯＳＲＡＭ）を用いればよい。点灯回路５０の詳しい構成については後述する。
【００２２】
受光センサの検知範囲、および受光センサの入光面とＬＥＤの主出射方向との関係について図２の模式断面図で示す。
受光センサ６０の検知範囲は、受光センサ６０の入光面６０ａの中心６０ｏに垂直な仮想軸αを０°とした場合に、仮想軸αの両側であって仮想軸αから例えば、８０°に位置する２本の仮想線βで囲まれる範囲ＡＲ１である。なお、「受光センサ６０の検知範囲」とは、受光センサ６０の入光面６０ａに入射した光が電流へ変換される入射角の範囲を示す。
【００２３】
受光センサ６０の表面のうち、上面以外の表面６０ｂ，６０ｃ，６０ｄ上には遮光シート（不図示）が貼り付けられている。そのため、受光センサ６０の表面のうち、光量を検知する面は入光面６０ａのみである。なお、遮光シート（不図示）を構成する材料は、例えば、カーボンブラック等の黒色顔料を混入させたポリウレタン樹脂である。受光センサ６０は、入光面６０ａをグローブ３３の外側に向けた状態で配置されている。
【００２４】
ところで、ＬＥＤ１２の主出射方向Ｌ１２は、発光面１２ａに垂直な方向である。そして、ＬＥＤ１２の主出射方向Ｌ１２には、照射対象領域が存在すると考えられる。一方、入光面６０ａは、ＬＥＤ１２の主出射方向Ｌ１２を向いている。そのため、照射対象領域は、受光センサ６０の検知対象領域を含む。これにより、受光センサ６０の入光面６０ａには、照射対象領域における検知すべき光が入射する。その結果、受光センサ６０は、周囲の光量を検知することができる。さらに、仮想軸αの方向は、ＬＥＤ１２の主出射方向Ｌ１２と一致している。なお、「仮想軸αの方向が主出射方向Ｌ１２と一致している」とは、完全に一致している場合のみならず、仮想軸αと主出射方向Ｌ１２との角度の差が４５°未満である場合を含む。
【００２５】
次に、ＬＥＤ１２と受光センサ６０との位置関係について説明する。ＬＥＤ１２の主出射方向を前方とすると、受光センサ６０はＬＥＤ１２よりも前方に位置する。すなわち、受光センサ６０とＬＥＤ１２とには前後の位置関係が存在する。
ところで、ＬＥＤ１２から出射した光の多くは、外囲器３０（グローブ３３）を透過して外部へ出射される直接光である。この直接光が場合によっては、照明装置の誤作動の原因となる。具体的には、周囲が暗いときに照明装置が点灯した場合に、ＬＥＤの直接光が受光センサの入光面に入射し受光センサが直接光を検知して、実際には周囲が暗いにもかかわらず周囲が明るいと判断し照明装置が誤作動するおそれがある。当該誤作動を抑制するために、ＬＥＤ１２と受光センサ６０との位置関係等を考慮して、照明装置を設計することが好ましい。
【００２６】
外囲器の形状には、バルブ型の形状、扁平な球形状、フラットな形状等がある。そして、異なる形状の外囲器であっても、照明装置１と同様に、受光センサを設けるとする。すなわち、受光センサが外囲器の先端において仮想線αがＬＥＤ１２の主出射方向Ｌ１２に一致するように配されているものとする。この場合、受光センサ６０がＬＥＤ１２より前方に位置することになり、また、ＬＥＤが実装される実装基板と受光センサとの間のＬＥＤの主出射方向に沿った距離が、外囲器の形状によって変化する。このとき、受光センサ６０の検知範囲が、仮想軸αから９０°以下に位置する２本の仮想線に囲まれる範囲であれば、外囲器の形状が変化することで実装基板と受光センサとの間のＬＥＤの主出射方向に沿った距離が変化しても、ＬＥＤ１２からの直接光が入光面６０ａに入射することがない。そのため受光センサがＬＥＤからの直接光を受光することによる誤動作を抑制できる。なお、仮想軸αから９０°に位置する２本の仮想線は、同図に示す仮想線γである。
【００２７】
ところで、受光センサを備える照明装置を屋外で用いると、例えば、車のヘッドライトを受光センサが検出して誤作動を起こすおそれがある。車のヘッドライトの出射光の波長のピークは、青色ＬＥＤチップと黄色蛍光体を含む封止層とで構成される白色ＬＥＤを用いた場合４６５ｎｍ程度および５６０ｎｍ程度の二箇所である。これに対して、受光センサ６０として、例えば、検知波長が７００ｎｍ以上３μｍの範囲に含まれるようなフォトランジスタを用いることで、照明装置１では車のヘッドライトの出射光による誤作動を抑制できる。
【００２８】
３．点灯回路の構成
以下、点灯回路５０の構成について、図３の回路図を用いて詳細に説明する。
点灯回路５０は、交流電源ＡＣに接続された整流回路５０ａと、整流回路５０ａの出力端に接続された平滑回路５０ｂと、平滑回路５０ｂの出力端に接続された電圧変換回路５０ｃと、電圧変換回路５０ｃを駆動させるための駆動回路Ｕ１と、駆動回路Ｕ１の出力を調整する検知回路５０ｄと、を備える。検知回路５０ｄには、受光センサ６０が含まれる。
【００２９】
交流電源ＡＣは、例えば、電圧実効値１００Ｖの交流を出力する。交流電源ＡＣと整流回路との間には、交流電源ＡＣから整流回路５０ａに過電流が流れることを防止するために、限流用の抵抗Ｒ１が接続されている。
（整流回路）
整流回路５０ａは、交流電源ＡＣから入力される交流電圧を全波整流する。整流回路５０ａは、４つのダイオードからなるダイオードブリッジで構成される。整流回路５０ａの出力は、脈流電圧となる。
【００３０】
（平滑回路）
平滑回路５０ｂは、整流回路５０ａから入力される脈流電圧を、直流電圧に変換する。平滑回路５０ｂは、コンデンサＣ１，Ｃ２、チョークコイルＬ１からなるπ型平滑回路で構成される。
（電圧変換回路）
電圧変換回路５０ｃは、平滑回路５０ｂから入力される直流電圧の大きさを変換して、ＬＥＤ１２に変換後の直流電圧を供給する。電圧変換回路５０ｃは、例えば、昇降圧チョッパー方式のＤＣ−ＤＣコンバータである。
【００３１】
スイッチング素子Ｑ１は、例えば、Ｎチャネル型のＭＯＳＦＥＴ（Ｍｅｔａｌ  ｏｘｉｄｅ  ｓｅｍｉｃｏｎｄｕｃｔｏｒ  ｆｉｅｌｄ  ｅｆｆｅｃｔ  ｔｒａｎｓｉｓｔｏｒ）である。スイッチング素子Ｑ１のソースは、抵抗Ｒ５を介して平滑回路５０ｂの低電位側の出力端に接続されている。スイッチング素子Ｑ１のゲートは、抵抗Ｒ３を介して駆動回路Ｕ１の端子ｔ１に接続されている。スイッチング素子Ｑ１のドレインは、トランスＬ２の一次巻き線の一端側に接続されている。トランスＬ２の一次巻き線の他端側は、ＬＥＤ１２に接続されている。トランスＬ２の二次巻き線の一端側は平滑回路５０ｂの低電位側の出力端に接続され、トランスＬ２の二次巻き線の他端側は駆動回路Ｕ１の端子ｔ４に接続されている。
【００３２】
トランスＬ２、コンデンサＣ３、および抵抗Ｒ２は、それぞれＬＥＤ１２と並列に接続されている。コンデンサＣ３は、ＬＥＤ１２の両端間の電圧を平滑化する。なおコンデンサＣ６としては、ＬＥＤ１２が常時点灯することの無いように、十分な容量を有するものを選択する。
（駆動回路）
駆動回路Ｕ１は、端子ｔ１，ｔ２，ｔ３，ｔ４，ｔ５と、２つのタイマ（不図示）と、を備える。上述のように、端子ｔ１は、抵抗Ｒ３を介してスイッチング素子Ｑ１のゲートに接続されている。端子ｔ２は、接地端子であり、平滑回路５０ｂの低電位側の出力端に接続されている。端子ｔ３は、抵抗Ｒ４に流れる電流値を検知する。端子ｔ４は、電源電圧端子であり、これにより、駆動回路Ｕ１は端子ｔ４から電源電圧を得ている。また、端子ｔ４は、コンデンサＣ４と抵抗Ｒ６との並列回路に直列に接続されている。駆動回路Ｕ１は、例えば、ＮＸＰ社製  ＳＳＬ５００１である。
【００３３】
（検知回路）
検知回路５０ｄは、受光センサ６０と、抵抗Ｒ７，Ｒ８，Ｒ９，Ｒ１０と、ツェナーダイオードＺＤと、コンデンサＣ５と、トランジスタＴＲ１と、を備える。
トランジスタＴＲ１のベースには、受光センサ６０および抵抗Ｒ７が接続されている。受光センサ６０に一定以上の光が入射すると、受光センサ６０から抵抗Ｒ７へ電流が流れる。その結果、抵抗Ｒ７に電圧が生じる。抵抗Ｒ７の電圧が、トランジスタＴＲ１のベースエミッタ間電圧が閾値電圧を上回ると、トランジスタＴＲ１にコレクタ電流Ｉｃが流れる。一方、トランジスタＴＲ１にコレクタ電流Ｉｃが流れる前の時点では、コンデンサＣ５は、抵抗Ｒ８,Ｒ９より一定の電圧充電され、端子ｔ５の電圧に応じた回路出力がＬＥＤ１２に供給される。トランジスタＴＲ１にコレクタ電流Ｉｃが流れると、徐々にコンデンサＣ５が放電される。その結果、端子ｔ５にかかる電圧も下がるため回路出力が抑制される。
【００３４】
なお、ツェナーダイオードＺＤは、平滑回路５０ｂから過大な直流電圧が供給されたときに、受光センサ６０を保護するために設けられている。具体的には、ツェナーダイオードＺＤは、受光センサ６０に過大な電流が流れることを抑制するとともに端子ｔ５へ印加される電圧を一定にしている。
４．点灯動作および消灯動作
以下、点灯回路５０の点灯動作および消灯動作について説明する。駆動回路Ｕ１は、端子ｔ５にて検知された電圧に応じた閾値電圧とスイッチング素子Ｑ１を流れるドレイン電流に応じた抵抗Ｒ５の電圧降下電圧を比較して一定の駆動周波数におけるスイッチング素子Ｑ１のオン時間を制御し、ＬＥＤ１２へ電力を出力している。周囲が明るい場合、受光センサ６０の受光量が大きくトランジスタＴＲ１のベースに流れる電流（ベース電流）が増加し、コンデンサＣ５の電荷の放電量が増え、端子ｔ５に印加される電圧が１．５Ｖ未満になり消灯する。また、周囲の明るさが暗くなると受光センサ６０の受光量が減り、トランジスタＴＲ１のベース電流が減少し、コンデンサＣ５の電荷の放電量が減り、端子ｔ５に印加される電圧が上昇し１．５Ｖ以上になると点灯し端子ｔ５の電圧の上昇に従って明るくなる。
【００３５】
（点灯動作）
駆動回路Ｕ１は、受光センサ６０の受光量が減少することで、トランジスタＴＲ１に流れる電流が減少し端子ｔ５の電圧が１．５Ｖを上回ると、オン電圧をスイッチング素子Ｑ１のゲートに印加する。これにより、スイッチング素子Ｑ１がオン状態となる。その結果、トランスＬ２の一次巻き線、スイッチング素子Ｑ１、抵抗Ｒ５の順で電流が流れて、トランスＬ２の一次巻き線が蓄電される。駆動回路Ｕ１は端子ｔ３にて抵抗Ｒ５に流れる電流による電圧降下電圧を検知している。端子ｔ３で検知した電圧が端子ｔ５に印加される電圧によって定められた閾値よりも大きい場合は、駆動回路Ｕ１は、端子ｔ１からオフ電圧をスイッチング素子Ｑ１のゲートに印加し、トランスＬ２の一次巻き線が放電される。これにより、トランスＬ２の一次巻き線からダイオードＤ１を介してＬＥＤ１２に電流が供給される。この間、ＬＥＤ１２は点灯状態となる。以上の動作駆動回路Ｕ１にて定められた周波数（周期）でスイッチング動作を行うことで、端子ｔ５の電圧に応じた一定の電力をＬＥＤ１２へ出力している。
【００３６】
（消灯動作）
周囲の明るさが十分明るい場合、受光センサ６０からトランジスタＴＲ１へのベース電流供給が十分に行われコンデンサＣ５の電荷が放電過多になるため駆動回路Ｕ１はスイッチング動作を停止する。なお、ここでいう「放電過多」とは、整流電圧からＲ８、Ｒ９を介して流れるコンデンサＣ５の充電電流よりもトランジスタＴＲ１の放電能力が大きくなることをいう。
【００３７】
（まとめ）
点灯動作または消灯動作において、駆動回路Ｕ１は端子ｔ５がトランジスタＴＲ１にコレクタ電流Ｉｃが変化することでコンデンサＣ５の充電量を変化に応じた電圧にに基づいて、点灯動作または消灯動作を実行する。
このように、点灯回路５０は、受光センサ６０の検知光量に基づき、発光モジュール１０への電流の供給の実行及び停止を選択的に行う。
【００３８】
５．反射光
ＬＥＤ１２から出射した光の一部は、外囲器３０の内表面で反射される反射光である。以下、ＬＥＤ１２から出射され外囲器３０で反射される反射光について、図４の発光時の模式図を用いて説明する。図４（ａ）は照明装置１を示し、図４（ｂ）は比較例の照明装置９０１を示す。比較例の照明装置９０１は、実装基板および基台の形状と、受光センサが外囲器内に配置されていることとが、照明装置１に対して異なる。同図における矢印Ｌ１は発光部から出射されグローブの内表面で反射された反射光を示す。なお、矢印Ｌ１以外にも発光面から垂直に上方に出射される光等も存在するが、同図は受光センサに光が入るか否かを示すための図であるため、一例として、反射光Ｌ１のみを示している。また、同図におけるＡＲ１，ＡＲ９０１の鎖線で示す範囲は、受光センサの検知範囲を示す。
【００３９】
図４（ｂ）に示すように、照明装置９０１では、円板状に形成された基台９２０の上に、円板状に形成された実装基板９１１が配置されている。そして、実装基板９１１上に、ＬＥＤ１２および受光センサ６０が配置されている。受光センサ６０は、グローブ９３３の内部に配置されている。受光センサ６０の入光面６０ａは上方を向いている。そのため、照明装置９０１では、反射光Ｌ１が受光センサ６０の入光面６０ａに入射する。
【００４０】
一方、図４（ａ）に示すように、照明装置１では、ＬＥＤ１２は実装基板１１上に配置されている。また、受光センサ６０はグローブ３３の外表面３３ｂ上に配置されている。受光センサ６０の入光面６０ａは、上方を向いている。そのため、照明装置１では、反射光Ｌ１が受光センサ６０の入光面６０ａに入射しない。
６．効果
照明装置１はＬＥＤ１２（発光部１２）と、ＬＥＤ１２を内部に収納する外囲器３０と、ＬＥＤ１２を点灯駆動する点灯回路５０と、を備え、点灯回路５０は、入光面６０ａを有する受光センサ６０を含み、且つ、受光センサ６０の検知光量に基づきＬＥＤ１２への電流の供給の実行及び停止を選択的に行い、受光センサ６０は、受光センサ６０の入光面６０ａを外囲器３０の外側に向けた状態で、外囲器３０の外表面３０ａ上に配置されている。
【００４１】
また、照明装置１では、グローブ３３の外表面３３ｂ上、すなわち、外囲器３０の外表面３０ａ上に受光センサ６０が配置されている。これにより、受光センサ６０の入光面６０ａには、発光モジュール１０から出射されグローブ３３の内表面で反射された反射光Ｌ１が入射しない。そのため、発光モジュール１０が点灯した時に、受光センサ６０が反射光Ｌ１を検知することがなく、実際には周囲が暗い場合に周囲の光量が多いと判断することはない。これにより、照明装置１が点灯した後、実際には周囲が暗くても周囲が明るいと判断して消灯することもなく、その後、再び受光センサ６０は周囲が暗いと判断して照明装置１が点灯することもない。従って、照明装置１が点灯および消灯を繰り返す自己点滅現象を生じることを抑制できる。
【００４２】
このように、照明装置１では、周囲の光量に応じて自動的に点灯および消灯でき、且つ、発光モジュール１０から出射され外囲器３０の内表面で反射された反射光Ｌ１の受光センサ６０への影響を抑制できる。
さらに、照明装置１において、グローブ３３の先端に受光センサ６０が配置されている。そのため、例えば、照明装置１をペンダントライトのようなドーム状の傘付き器具に取り付けた場合でも、受光センサ６０は適切に周囲の光量を検知することができる。具体的には、ドーム状の傘と傘の根元に設けられたソケットとを備える器具の内側に、照明装置１を取り付けて用いる場合が考えられる。この場合、筐体３２とグローブ３３の開口側は傘により覆われることとなる。この構成により、受光センサ６０の検知範囲が傘により遮られることを抑制できる。従って、筐体３２及びグローブ３３の下方までを覆う器具にも、照明装置１を取り付けることができる。
【００４３】
＜＜変形例＞＞
１．受光センサの配置
上記実施の形態等では、受光センサをグローブの先端に配置した。しかしながら、これに限らず、受光センサは外囲器の表面上（詳細には口金を除く領域）に配置すればよい。以下、受光センサの配置の変形例について図５〜７を用いて説明する。各変形例に係る照明装置は、受光センサの配置に関する箇所以外は、図１で示した照明装置１と等しい。
【００４４】
図５（ａ）に示す照明装置１０１のように、受光センサ６０をグローブ１３３の先端から離れた位置に配置してもよい。この場合、グローブ１３３の貫通孔１３３ａもグローブ１３３の先端から離れた位置に設ける。また、発光モジュール１０はグローブ１３３の内部に収納されている。この構成であっても、発光モジュール１０から出射され外囲器１３０の内表面で反射された反射光Ｌ１は、受光センサ６０の入光面６０ａに入射しない。そのため、反射光Ｌ１の受光センサ６０への影響による誤動作を抑制した照明装置１０１を提供できる。
【００４５】
図５（ｂ）に示す照明装置２０１のように、筐体２３２を厚く形成し、筐体２３２の端面２３２ａ１上に受光センサ６０を配置してもよい。配線５３は、グローブ２３３に設けた貫通孔２３３ｂから引き出される。筐体２３２を構成する材料は、例えば、ポリブチレンテレフタレート等の絶縁性材料である。この構成では、グローブ２３３の外表面に受光センサ６０が存在しないので、照明装置２０１の外観を向上できる。
【００４６】
図６（ａ）に示す照明装置３０１のように、外囲器の内表面上、例えばグローブ３３３の内表面３３３ｃ上に受光センサ６０を接着剤３５４により貼り付けてもよい。これにより、受光センサ６０は、グローブ３３の内部に収納されている。なお、接着剤３５４の厚みは、光が入射できないほど薄い。受光センサ６０の入光面６０ａは、グローブ３３３の外側を向いている。そのため、受光センサ６０の入光面６０ａとＬＥＤ１２の発光面１２ａとが対向していない。この構成であっても、発光モジュール１０から出射され外囲器３３０の内表面で反射された反射光Ｌ１は、受光センサ６０の入光面６０ａに入射しない。そのため、反射光Ｌ１の受光センサ６０への影響による誤動作を抑制した照明装置３０１を提供できる
図６（ｂ）に示す照明装置４０１のように、グローブ４３３の外表面４３３ｂ上に、２個の受光センサ６０を配置してもよい。グローブ４３３に設けられた貫通孔４３３ａを通る配線５３の先端に、受光センサ６０は接続されている。このように、グローブ４３３の先端以外の領域に２個の受光センサ６０を配置すれば、仮に片方の受光センサ６０にほこりなどの汚れが付着したとしても、周囲の光量を検出することができる。なお、受光センサの個数は１個、２個以外にも、他の複数個であってもよい。
【００４７】
図７に示す照明装置５０１のように、筐体５３２に設けられた貫通孔５３２ｂおよび回路ケース５４０に設けられた貫通孔５４０ａから引き出された配線５３を、筐体５３２の外表面５３２ａ上からグローブ５３３の外表面５３３ａ上まで引きまわしてもよい。この構成では、グローブ５３３に貫通孔を設けなくても、グローブ５３３の先端に受光センサ６０を配置できる。すなわち、グローブ５３３の先端に受光センサ６０を配置し、且つ、グローブ５３３の材料として貫通孔を設けるような加工が難しい材料も採用できる。
【００４８】
２．受光センサの種類
上記実施の形態等では、受光センサとしてフォトトランジスタを用いた。しかしながら、これに限らず、例えば、フォトダイオードやフォトＩＣなど他のアナログ受光センサを用いてもよい。さらに、受光センサとして、アナログ受光センサ以外にも、デジタル受光センサを用いてもよい。
【００４９】
３．発光部
上記実施の形態等では、ＬＥＤは青色ＬＥＤチップと黄色蛍光体を含む樹脂とからなる白色ＬＥＤを用いた。しかしながら、これに限らず、白色ＬＥＤを青色ＬＥＤチップと赤色蛍光体および緑色蛍光体を含む樹脂とから構成してもよい。また、白色ＬＥＤの代わりに、青色ＬＥＤ、赤色ＬＥＤ、緑色ＬＥＤ、電球色ＬＥＤ等を用いてもよい。
【００５０】
また、上記実施の形態等のＬＥＤチップはＣＯＢタイプであった。しかしながら、これに限らず、ＬＥＤチップは、ＳＭＤ（Ｓｕｒｆａｃｅ  Ｍｏｕｎｔ  Ｄｅｖｉｃｅ）タイプであってもよい。
さらに、上記実施の形態等では発光部はＬＥＤで構成されていたが、これに限らず、例えば、無機発光素子や蛍光灯で構成されてもよい。
【００５１】
４．照明装置
上記実施の形態等では、照明装置の形状は電球型であった。しかしながら、これに限らず、例えば、シーリングライトやダウンライト、直管型等であってもよい。
図８に、照明装置としてダウンライトを用いた例を示す。
図８（ａ）は、照明装置６０１の天井２への取り付け時の側面図であり、図８（ｂ）は照明装置６０１の外観図である。照明装置６０１は、円環板状の実装基板６１１とＬＥＤ１２とで構成される発光モジュール６１０と、外囲器６３０と、回路ケース６４０と、点灯回路６５０とを備える。外囲器６３０は、ベース６３４とカバー６３５とから構成される。点灯回路６５０は、発光モジュール６１０および受光センサ６０とそれぞれ配線６５３で接続されている。配線６５３は、回路ケース６４０から引き出され、外囲器６３０内に導入される。照明装置６０１は、天井２に設けられた取付孔２ａに板バネ３により取り付けられる。
【００５２】
このように、外囲器６３０の形状によっては、点灯回路６５０の全部を外囲器の外側に配置することができる。また、外囲器６３０は、グローブと筐体と口金とから構成されるものに限らず、例えば、ベースとカバーとから構成することができる。
５．点灯回路
照明装置における点灯回路は、図３で示したものに限られない。以下、点灯回路の変形例について説明する。
【００５３】
（整流回路）
上記実施の形態では、整流回路はダイオードブリッジであった。しかしながら、これに限らず、センタータップ型全波整流回路など他の整流回路であってもよい。
（平滑回路）
上記実施の形態では、平滑回路はπ型平滑回路であった。しかしながら、これに限らず、例えば、チョーク入力型平滑回路や、コンデンサ入力型平滑回路等であってもよい。
【００５４】
（電圧変換回路）
上記実施の形態では、平滑回路は昇降圧チョッパー回路であった。しかしながら、これに限らず、例えば、他のＤＣ−ＤＣコンバータであってもよい。具体的には、平滑回路は、昇圧チョッパー回路、降圧チョッパー回路等であってもよい。
（駆動回路および検知回路）
上記実施の形態では、受光センサの検知結果として、トランジスタのコレクタ電流を駆動回路に出力していた。しかしながら、これに限らず、受光センサと抵抗とを直列に接続し、抵抗の端子電圧を駆動回路の端子に直接入力してもよい。この変形例について図５の回路図を用いて説明する。
【００５５】
図９の回路図は、図３の回路図に対して、検知回路７５０ｄの構成のみが異なる。点灯回路７５０において、検知回路７５０ｄは、受光センサ６０と抵抗Ｒ７の直列回路で構成されている。受光センサ６０と抵抗Ｒ７との間に、駆動回路Ｕ１の端子ｔ５が接続されている。これにより、抵抗Ｒ７の端子電圧が駆動回路Ｕ１の端子ｔ５に入力される。この場合、駆動回路Ｕ１は、予め設定された判定値よりも抵抗Ｒ７の端子電圧が大きければ、スイッチング素子Ｑ１のゲートにオフ電圧を印加する。なお、ここでいう「オフ電圧の印加」とは、電圧を一切印加しない場合も含む。また、駆動回路Ｕ１は、予め設定された判定値よりも抵抗Ｒ７の端子電圧と等しい又は小さければ、スイッチング素子Ｑ１のゲートにオン電圧を印加する。このように検知回路がより単純な構成であっても、受光センサを用いた照明装置の点灯および消灯が可能である。
【００５６】
６．点灯方法
上記実施の形態等では、周囲が明るいときに消灯、周囲が暗いときに１００％点灯としていた。しかしながら、これに限らず、例えば、周囲の暗さに応じて段階的に点灯させてもよい。
７．その他
上記実施の形態等では、センサとして受光センサのみを用いたが、これに加えて、人感センサや温度センサなどを用いて、より細やかな条件に合わせて照明装置を点灯および消灯させてもよい。一例として、受光センサに人感センサを加えた構成とすることで、周囲が暗くて周囲に人が存在するときにのみ点灯するような省エネルギー化を実現した照明装置が考えられる。また、受光センサに温度センサを加え、さらに色温度の異なる白色光を出射する発光部を備えた構成とすることも考えられる。この照明装置では、周囲が暗くて気温が低いときには温かみを感じる色温度の低い白色光を出射する発光部を点灯させ、周囲が暗くて気温が高いときには涼しさを感じる色温度の高い白色光を出射する発光部を点灯させることができる。
【００５７】
以上、本発明に係る照明装置の構成を、実施の形態および変形例に基づいて説明したが、本発明は上記実施の形態およびその変形例に限られない。例えば、上記実施の形態およびその変形例の部分的な構成を、適宜組み合わせた構成であってもよい。また、上記実施の形態に記載した材料、数値等は好ましいものを例示しているだけであり、それに限定されることはない。さらに、本発明の技術的思想の範囲を逸脱しない範囲で、構成に適宜変更を加えることは可能である。
【符号の説明】
【００５８】
１                      照明装置
１２                    ＬＥＤ（発光部）
３０                    外囲器
３０ａ                  外表面
５０                    点灯回路
６０                    受光センサ
６０ａ                  入光面
【図１】
2015153601.tif 000003
【図２】
2015153601.tif 000004
【図３】
2015153601.tif 000005
【図４】
2015153601.tif 000006
【図５】
2015153601.tif 000007
【図６】
2015153601.tif 000008
【図７】
2015153601.tif 000009
【図８】
2015153601.tif 000010
【図９】
2015153601.tif 000011